(57)【要約】【課題】施解錠に煩雑は手間が不要で、ガラス戸が割られた不正侵入時には、クレセントの回転を阻止して解錠することができず、防犯性に優れたクレセント錠を提供する。【解決手段】検出子１４１と、コイルバネ１４３と、を含む検出部１４と、被係止部１５１ａが形成されたフック部１５１を被係止部１５１ａが検出子１４１の移動領域に位置可能なように所定の付勢力をもって付勢するバネ１５２を含み、検出子１４１が略第３の位置＜３＞に保持されたときに、被係止部１５１ａが検出子１４１の係止部１４１ｂに係止する回転阻止部１５と、クレセント部１３が略解錠状態になっときに検出子１４１をコイルバネ１４３の付勢力に抗する力をもって第１の位置＜１＞に保持させ、検出子１４１が第３の位置＜３＞に保持されたときに、検出子１４１に当接して回転軸１１２の回転を阻止するカム体１６をとを有する。【選択図】        図５
2005068731.tif 000002
【特許請求の範囲】
【請求項１】
回転することにより施錠および解錠するクレセント部と、
上記クレセント部が取り付けられたハンドルレバーと、
施錠対象の異常の有無を検出する検出手段と、
上記検出手段で施錠対象に異常があると検出された場合に、上記クレセント部の回転を阻止する回転阻止手段と
を有するクレセント錠。
【請求項２】
上記検出手段は、
検出子と、
上記検出子を上記施錠対象に向かって所定の付勢力をもって付勢する第１の付勢手段と、を含み、
上記検出子は、
上記クレセント部が略解錠状態になったときに、上記第１の付勢手段の付勢力に抗する力をもって第１の位置に保持され、
上記クレセント部が略施錠可能状態になったときに上記施錠対象に当接すると第２の位置に保持され、
上記クレセント部が略施錠可能状態になったときに上記施錠対象に当接しない場合には、上記第２の位置よりさらに付勢された第３の位置に保持される
請求項１記載のクレセント錠。
【請求項３】
上記検出子には、
上記第３の位置に保持されたときに、被係止部が係止可能で、上記第１の付勢手段の付勢力に抗して上記第２の位置、第１の位置に向かって移動することを阻止するための係止部が形成されており、
上記回転阻止手段は、
上記被係止部が形成されたフック部と、
上記フック部を、上記被係止部が上記検出子の移動領域に位置可能なように所定の付勢力をもって付勢する第２の付勢手段と、を含み、
上記検出子が略第３の位置に保持されたときに、上記被係止部が上記検出子の係止部に係止する
請求項２記載のクレセント錠。
【請求項４】
上記ハンドルレバーの回転に応じて回転し、上記クレセント部が略解錠状態になったときに、上記検出子を上記第１の付勢手段の付勢力に抗する力をもって第１の位置に保持させ、上記検出子が上記第３の位置に保持されたときに、上記検出子に当接して上記ハンドルレバーの回転を阻止するカム体、を有する
請求項２または３記載のクレセント錠。
【請求項５】
上記検出子は、竿状をなす
請求項２から４のいずれか一に記載のクレセント錠。
【請求項６】
上記検出手段は、
当該錠近傍における衝撃を感知する衝撃センサを、含む
請求項１記載のクレセント錠。
【請求項７】
被係止部が係止可能で、ハンドルレバーの回転を阻止するための係止部を有し、
上記回転阻止手段は、
上記被係止部が形成されたフック部と、
上記フック部を、上記被係止部が上記クレセント部の回転領域に位置可能なように所定の付勢力をもって付勢する第１の付勢手段と、
制御信号に応じて、上記フック部を、第１の付勢手段の付勢力に抗して上記被係止部が上記クレセント部の回転領域以外の領域に位置するように保持可能な保持手段と、
上記衝撃センサの感知結果に応じた上記制御信号を生成し、上記保持手段に出力する制御手段と、を含む
請求項６記載のクレセント錠。
【請求項８】
上記制御手段は、上記衝撃センサが衝撃を感知したときに、上記保持手段が上記フック部の保持状態を解除して上記被係止部が回転領域に位置させることを指示する上記制御信号を生成して、上記保持手段に出力する
請求項７記載のクレセント錠。
【請求項９】
上記回転阻止手段による上記クレセント部の回転阻止を解除可能な解除手段を、
さらに有する請求項１から８のいずれか一に記載のクレセント錠。
【請求項１０】
上記解除手段は、
上記フック部の被係止部が上記係止部と係止状態にあるときに、上記フック部近傍に挿入可能で、所定方向に回転することにより、上記付勢力に抗して当該フック部の被係止部の上記係止部に対する係止状態を解除可能な回転軸を含む
請求項９記載のクレセント錠。
【請求項１１】
上記ハンドルレバーを錠のケース体に対して施錠および解錠可能なプッシュ錠を有し、
上記解除手段の上記回転軸は、上記プッシュ錠のプッシュ軸と共用されている
請求項１０記載のクレセント錠。
【請求項１２】
上記クレセント部が略施錠可能状態になったときに、上記クレセント部を当該施錠可能状態にロックさせるロック部を、
さらに有する請求項１〜１１のいずれか一に記載のクレセント錠。
【請求項１３】
上記ロック部のロック状態を解除可能な解除機構を有する
請求項１２記載のクレセント錠。
【発明の詳細な説明】
【技術分野】
【０００１】
本発明は、家屋やビルディング等の窓に開閉可能に配設されるサッシ等に防犯用施錠装置として取り付けられるクレセント錠に関するものである。
【背景技術】
【０００２】
家屋やビルディング等の窓に開閉可能に配設されるサッシには、防犯用施錠装置としてクレセント錠が用いられている。
そして、防犯性の向上を図るために、たとえば鍵付クレセント錠が実用に供されている。これらの中には、防犯性を高めるために、ダイヤル式南京錠を用いたクレセント錠も提案されている（たとえば、特許文献１，２参照）。
また、防犯性を高めるために、錠にガラス戸が割られたときに生じる衝撃を感知するセンサを設け、センサがガラス戸が割られたときに生じる衝撃を感知したときに、無線で親機に通知し、ブザーや発光素子により警報を発するようにしたサッシが提案されている（特許文献３参照）
【特許文献１】実開平５−５７２５７号公報
【特許文献２】実開平６−４０２５１号公報
【特許文献３】特開平９−１８４３３２号公報
【発明の開示】
【発明が解決しようとする課題】
【０００３】
しかしながら、特許文献１，２に記載されたクレセント錠は、鍵が不要であるものの、結局ダイヤル操作を行う必要があり、また、３桁等の番号を知っておく必要があり、一般的に複数の窓を有する家屋等では、施錠および解錠に煩雑な手間を要するという不利益がある。
【０００４】
また、特許文献３に記載されたサッシ用クレセント錠では、錠が不正解錠される前の段階で不正侵入行為を検知することができるものの、ガラス戸が割られた後では、クレセント錠自体は、ハンドルレバーを操作すれば、簡単に解錠できることから、警報が発せられた後でも短時間に解錠して不正侵入が可能であり、十分な防犯機能を有しているとは言い難い。
【０００５】
本発明は、かかる事情に鑑みてなされたものであり、その目的は、通常の施錠および解錠がダイヤル式南京錠のような煩雑は手間を要することなく容易に行うことが可能で、ガラス戸が割られた不正侵入時には、クレセントの回転を阻止して解錠することができず、防犯性に優れたクレセント錠を提供することにある。
【課題を解決するための手段】
【０００６】
上記目的を達成するため、本発明のクレセント錠は、回転することにより施錠および解錠するクレセント部と、上記クレセント部が取り付けられたハンドルレバーと、施錠対象の異常の有無を検出する検出手段と、上記検出手段で施錠対象に異常があると検出された場合に、上記クレセント部の回転を阻止する回転阻止手段とを有する。
【０００７】
好適には、上記検出手段は、検出子と、上記検出子を上記施錠対象に向かって所定の付勢力をもって付勢する第１の付勢手段と、を含み、上記検出子は、上記クレセント部が略解錠状態になったときに、上記第１の付勢手段の付勢力に抗する力をもって第１の位置に保持され、上記クレセント部が略施錠可能状態になったときに上記施錠対象に当接すると第２の位置に保持され、上記クレセント部が略施錠可能状態になったときに上記施錠対象に当接しない場合には、上記第２の位置よりさらに付勢された第３の位置に保持される。
【０００８】
好適には、上記検出子には、上記第３の位置に保持されたときに、被係止部が係止可能で、上記第１の付勢手段の付勢力に抗して上記第２の位置、第１の位置に向かって移動することを阻止するための係止部が形成されており、上記回転阻止手段は、上記被係止部が形成されたフック部と、上記フック部を、上記被係止部が上記検出子の移動領域に位置可能なように所定の付勢力をもって付勢する第２の付勢手段と、を含み、上記検出子が略第３の位置に保持されたときに、上記被係止部が上記検出子の係止部に係止する。
【０００９】
好適には、上記ハンドルレバーの回転に応じて回転し、上記クレセント部が略解錠状態になったときに、上記検出子を上記第１の付勢手段の付勢力に抗する力をもって第１の位置に保持させ、上記検出子が上記第３の位置に保持されたときに、上記検出子に当接して上記ハンドルレバーの回転を阻止するカム体、を有する。
【００１０】
好適には、上記検出子は、竿状をなす。
【００１１】
好適には、上記検出手段は、当該錠近傍における衝撃を感知する衝撃センサを、含む。
【００１２】
好適には、被係止部が係止可能で、ハンドルレバーの回転を阻止するための係止部を有し、上記回転阻止手段は、上記被係止部が形成されたフック部と、上記フック部を、上記被係止部が上記クレセント部の回転領域に位置可能なように所定の付勢力をもって付勢する第１の付勢手段と、制御信号に応じて、上記フック部を、第１の付勢手段の付勢力に抗して上記被係止部が上記クレセント部の回転領域以外の領域に位置するように保持可能な保持手段と、上記衝撃センサの感知結果に応じた上記制御信号を生成し、上記保持手段に出力する制御手段と、を含む。
【００１３】
好適には、上記制御手段は、上記衝撃センサが衝撃を感知したときに、上記保持手段が上記フック部の保持状態を解除して上記被係止部が回転領域に位置させることを指示する上記制御信号を生成して、上記保持手段に出力する。
【００１４】
好適には、上記回転阻止手段による上記クレセント部の回転阻止を解除可能な解除手段を、さらに有する。
【００１５】
好適には、上記解除手段は、上記フック部の被係止部が上記係止部と係止状態にあるときに、上記フック部近傍に挿入可能で、所定方向に回転することにより、上記付勢力に抗して当該フック部の被係止部の上記係止部に対する係止状態を解除可能な回転軸を含む。
【００１６】
また、好適には、上記ハンドルレバーを錠のケース体に対して施錠および解錠可能なプッシュ錠を有し、上記解除手段の上記回転軸は、上記プッシュ錠のプッシュ軸と共用されている。
【００１７】
また、好適には、上記クレセント部が略施錠可能状態になったときに、上記クレセント部を当該施錠可能状態にロックさせるロック部を、さらに有する。
好適には、上記ロック部のロック状態を解除可能な解除機構を有する。
【発明の効果】
【００１８】
本発明によれば、通常の施錠および解錠がダイヤル式南京錠のような煩雑は手間を要することなく容易に行うことが可能で、ガラス戸が割られた不正侵入時には、クレセントの回転を阻止して解錠することができず、防犯性に優れたクレセント錠を実現できる利点がある。
【発明を実施するための最良の形態】
【００１９】
以下、本発明の実施形態を添付図面に関連付けて説明する。
【００２０】
（第１実施形態）
図１（Ａ）〜（Ｅ）は、本発明に係るクレセント錠の概要を示す外観図で、図２は、本発明に係るクレセント錠の分解斜視図である。
【００２１】
本クレセント錠１０は、図に示すように、ハンドルレバー１１と、ケース体１２と、クレセント部１３と、施錠対象であるクレセント受け２０が配置される側のサッシのガラスの有無を検出するための検出部１４と、クレセント部１３の回転を阻止する回転阻止部１５と、カム体１６と、自動ロック部１７と、プッシュ錠１８と、を主構成要素として有している。
【００２２】
ハンドルレバー１１は、本体部１１１と、回転軸１１２と、本体部１１１の図中の上部に突出するように形成されらレバー１１３とを有している。
本体部１１１は、図中の下部側に回転軸を挿入し固定するための固定孔１１１ａが形成されている。固定孔１１１ａには、回転軸１１２の先端側をケース体１２内に挿入するために、上部および下部が偏平に形成された挿入孔１１１ｂが形成されている。
本体部１１１は、図中の上部側（レバー１１３の近傍）にはブッシュ錠１８が収容され、ケース体１２の取り付け面と対向する面側に貫通するプッシュ軸１８１が出し入れ可能なプッシュ軸孔１１１ｃが形成されている。
回転軸１１２は、図２に示すように、側部（図２の例では上部側および下部側）が偏平となるように形成されており、挿入孔１１１ｂに挿入された状態で本体部１１１に固定され、先端部は、ケース体１２内に収容される。回転軸１１２は、本体部１１１またはレバー１１３に対する回転力に応じて、ケース体１２内で回転する。
回転軸１１２の先端には、後述するように、ケース体１２内において、クレセント部１３の基体部をネジ止めするための雌ねじ部１１２ａが形成されている。また、回転軸１１２の途中にはケース体１２内において、カム体１６の基体部が回転軸に回転に応じて回転するように挿入される。
【００２３】
ケース体１２は、ハンドルレバー１１の本体部１１１の取り付け面である第１側面１２１には回転軸１１２の先端部が回転可能に挿入される挿入孔１２１ａが形成され、かつ、プッシュ錠１８のプッシュ軸１８１をケース体１２から出し入れ自在に案内する図示しないガイド孔が形成されている。
ケース体１２のクレセント受け２０側に位置する第２の側面１２２には、クレセント部１３が回転軸１１２の回転に伴い出入り可能なクレセント用穴１２２ａと、検出部１４の後述する検出子１４１が出入り可能に形成された検出子用穴１２２ｂと、カム体１６が回転軸１１２の回転に伴い出入り可能なカム用穴１２２ｃと、が形成されている。
ケース体１２の第２側面１２２と対向する第３側面１２３には、自動ロック部１７のロック解除機構を構成する解除レバー１７１を外面に位置させながら、図２中上部側で所定範囲に亘ってスライド可能に案内する、長孔からなるガイド孔１２３ａが形成されている。
ケース体１２の第１側面１２１と対向する側部は開口しており、この開口部１２４から検出部１４の各部品、回転阻止部１５の各部品、カム体１６、クレセント部１３、自動ロック部１７の主用部品が所要の位置にセットされる。
そして、ケース体１２の開口部１２４には、裏蓋１２５を雄ねじ１２６ａ，１２６ｂ，１２６ｃによりネジ止め可能な雌ねじ部１２４ａ，１２４ｂ，１２４ｃが形成されている。
【００２４】
クレセント部１３は、平面な基体部１３１の周囲にクレセント受け２０に対して施錠および解錠するための円弧状の施錠部１３２が形成されており、上述したように、基体部１３１の円弧の略中心位置が、ハンドルレバー１１の本体部１１１に固定された回転軸１１２の先端の雌ねじ部１１２ａに対し、カラー（スペーサ）３１を介して雄ねじ３２によりネジ止めされる。
これにより、クレセント部１３は、回転軸１１２は、本体部１１１またはレバー１１３に対する回転力に応じてケース体１２内で回転する回転軸１１２の回転に応じて同一方向に回転する。
【００２５】
検出部１４は、検出子１４１と、検出子１４１を案内するガイド棒１４２と、ガイド棒１４２に挿入された第１の付勢手段としてコイルバネ１４２とを有する。
【００２６】
検出子１４１は、直方体形状をなし、先端側がケース体１２の第２側面１２２に形成された検出子用穴１２２ｂにケース体１２の外側に突出するように挿入される竿部１４１ａと、竿部１４１ａの後端部に図中下側に段差を持つように形成され、図３に示すように、竿部１４１ａの先端部が第３の位置＜３＞に保持されたときに、後述する回転阻止部１５のフック部１５１の被被係止部１５１ａが係止可能で、コイルバネ１４２の弾性力（付勢力）に抗して、検出子１４１自体が、図３に示す第２の位置＜２＞、第１の位置＜１＞に向かって移動することを阻止するための係止部１４１ｂが形成されている。
さらに検出子１４１の係止部１４１ａの図中の下方側には、ガイド棒１４２が挿通され、ガイド棒１４２に沿ってケース体１２内を案内される被ガイド部１４１ｃが形成されている。
【００２７】
ガイド棒１４２は、たとえば円柱状をなし、検出子１４１のガイド部１４１ｃおよびコイルバネ１４２を挿通させた状態で、両端部がケース体１２の第２側面１２２と第３側面１２３の内壁間にそれぞれ取り付けられる。
【００２８】
コイルバネ１４３は、検出子１４１のガイド部１４１ｃの後端面側のガイド棒１４２に挿通され、検出子１４１をケース体１２の第３側面１２３の内壁側から、第２側面１２２側に向かって、所定の弾性力をもって付勢する。
このコイルバネ１４３の付勢力、回転阻止部１５の被係止部１５１ａの係止力、カム体１６の後述する当接力によって、図３〜図５示すように、検出子１４１の竿部１４１ａの先端部を、第１の位置＜１＞、第２の位置＜２＞、または第３の位置＜３＞に位置させる。
【００２９】
図３は、開状態を示す図であり、図４は、通常の閉状態を示し、図５は、ガラスが割れた非常時の状態を示す図である。
検出子１４１の竿部１４１ａの先端部は、開状態時には図３に示すように、第１の位置＜１＞に保持され、通常の閉状態時には図４に示すように、クレセント受け２０が取り付けられサッシのガラス２１に当接し、第３の位置＜３＞には至らない第２の位置＜２＞に保持され、ガラスが割れた非常時には図５に示すように、第３の位置＜３＞に保持される。
【００３０】
回転阻止部１５は、先端部に検出部１４の係止部１４１ｂに係止可能な被係止部１５１ａが形成された略Ｌ字状をなすフック部１５１と、フック部１５１を被係止部１５１ａが検出子１４１の移動領域に位置可能なように所定の付勢力をもって付勢する第２の付勢手段としてのバネ１５２を有する。
フック部１５１は、その後端部に貫通孔１５１ｂが形成され、中間プレート３３を介して雄ねじ３４が貫通孔１５１ｂに挿通された状態で、ケース体１２内に形成された図示しない雌ねじ部に対してネジ止めされる。これにより、フック部１５１は、雄ねじ３４を軸として回転可能に取り付けられる。
バネ１５２は、一端部がケース体１２に支持され、他端部がフック部１５１の一部に係止されて、フック部１５２に対して図中右回りの回転力（付勢力）与えている。すなわち、バネ１５２は、フック部１５１の先端部に形成された被係止部１５１ａが、検出子１４１の竿部１４１ａの移動領域に位置可能なように所定の付勢力をもって付勢している。
これにより、図３、および図４に示すように、開状態と通常の閉状態との間で、通常の施錠および解錠を行う場合には、フック部１５１の被係止部１５１ａの先端部が検出子１４１の竿部１４１ａの図中の上面を、コイルバネ１４３の弾性力（付勢力）の影響を与えない程度の当接力をもって摺接する。
また、図５に示すように、ガラスが割れた非常時には、検出子１４１の竿部１４１ａの先端部が第３の位置＜３＞の位置に略保持されたときに、フック部１５１の被係止部１５１ａが検出子１４１の係止部１４１ｂに係止する。
この係止部１４２と被係止部１５１ａとの係止状態が確立されると、検出子１４１の竿部１４１ａの先端部にコイルバネ１４３の付勢力に抗する力を加えて竿部１４１ａをケース体１２内に押し込もうとしても、第２の位置＜２＞、第１の位置＜１＞に向かって移動することが阻止される。
【００３１】
カム体１６は、中央部の基体部１６１にハンドルレバー１１の回転軸１１２の偏平軸が挿通される、同じく偏平な挿通孔１６１ａが形成されおり、基体部１６１の周辺部に扇状のカム部１６２が形成されている。
カム体１６は、ハンドルレバー１１の回転軸１１２の回転に応じて一体的に回転し、これに伴って、カム部１６２が検出子１４１のガイド部１４１ｃの移動領域を含む近傍領域を所定角度だけ回転する。
【００３２】
開状態時には、図３に示すように、カム部１６２の一端部１６２ａが、検出部１４のガイド部１４１ｃの前面側に対して、コイルバネ１４３の付勢力に抗する当接力をもって当接する。これにより、ガイド部１４１ｃがコイルバネ１４３の付勢力により付勢されていてもケース体１２の第２側面１２２側に移動することができない。
したがって、検出子１４１の竿部１４１ａの先端部は、図３に示すように、第１の位置＜１＞に安定に保持される。
【００３３】
通常の閉状態時には、図４に示すように、カム部１６２は、検出部１４のいずれにも当接することがない。この場合、自動ロック部１７のみにより、クレセント部１３のを図４に示す閉状態（施錠可能状態）に保持する。
【００３４】
ガラスが割れた非常時には、図５に示すように、検出子１４１の竿部１４１ａの先端部が第３の位置＜３＞の位置に略保持されたときに、フック部１５１の被係止部１５１ａが検出子１４１の係止部１４１ｂに係止されることに加えて、カム部１６２の他端部１６２ｂが、検出子１４１のガイド部１４１ｃの図中下面側に対して、所定の図中の上方に向かう押圧力をもって当接する。
したがって、係止部１４１ｂと被係止部１５１ａとの係止状態が確立され、検出子１４１の竿部１４１ａの先端部にコイルバネ１４３の付勢力に抗する力を加えて竿部１４１ａをケース体１２内に押し込もうとしても、第２の位置＜２＞、第１の位置＜１＞に向かって移動することが阻止されることはもとより、カム部１６２の他端部１６２ｂが所定の押圧力を検出部１４のガイド部１４３に対して当接することから、竿部１４１ａの押し込もうとする外力に対してさらに強力な効力を得ることができ、より確実に竿部１４１ａの移動を阻止可能となっている。
加えて、カム部１６２の他端部１６２ｂが所定の押圧力を検出子１４１のガイド部１４１ｃに対して当接することから、カム体１６自体が回転不能となる。すなわち、ハンドルレバー１１のレバー１１３を回転させても回転軸１１２が回転できなくなり、クレセント部１３も回転できなくなり、解錠が不可能となる。
【００３５】
なお、図示しないが、図３の開状態と図４の通常の閉状態との間では、カム部１６２が検出部１４のいずれにも当接することがなく、検出子１４１のスムースな移動が行われる。
【００３６】
自動ロック部１７は、クレセント部１３が、図６に示すように、略施錠可能状態になったときに、クレセント部１３をこの施錠可能状態にロックさせる。なお、図６は、ガラスが割れた時の状態を示しているが、図４に示す通常の閉状態時にも、自動ロック部１７とクレセント部１３との関係は同様な状態となる。
そして、自動ロック部１７は、ロック状態を解錠するための解除機構としての解除レバー１７１がケース体１２の第３側面１２３のガイド孔１２３ａを介して所定範囲に亘ってスライド可能に設けられている。
自動ロック部１７は、その本体部１７２は、方形状をなし、図３〜図６に示すように、たとえば図中の左側部（ケース体１２の第３側面１２３に近傍）には図中上下方向に形成した長孔状のガイド孔１７２ａが形成されている。
そして、自動ロック部１７の本体部１７２には、たとえばケース体１２の第１側面１２１の内壁に形成されたガイドピン１７３がガイド孔１７２ａに挿入されている。
また、本体部１７２の図中の上面とケース体１２の図中の上面の内壁との間に、本体部１７２をケース体１２の下方に所定の弾性力（付勢力）をもって付勢する付勢手段としてのコイルバネ１７４が配設されている。
さらに、本体部１７２の図中の右下側縁部には、クレセント部１３の円弧状の施錠部１３２が摺接しながら回転可能に案内するテーパ部１７２ｂが形成されている。
【００３７】
このような自動ロック部１７は、コイルバネ１７４の付勢力に下方側に付勢されおり、クレセント部１３がハンドルレバー１１の回転軸１１２の回転により回転し、図６のような状態になると、クレセント部１３の基体部１３１の側部側に自動ロック部１７がさらに下方に付勢可能な空間が形成され、コイルバネ１７４の付勢力によりこの空間に自動ロック部１７が位置する。
これにより、クレセント部１３は、施錠状態にロックされる。
このロック状態を解除する場合には、解除レバー１７１に対してコイルバネ１７４の付勢力に抗する力を図中の上方に加えて、本体部１７２の長孔１７２ａを、ガイドピン１７３に沿ってスライドさせることにより、図６に示すクレセント部１３に対するロック状態を解除させる。これにより、図７に示すように、クレセント部１３が回転できるようになり、ハンドルレバー１１を回すことが可能となる。
【００３８】
プッシュ錠１８は、図示しない鍵によりハンドルレバー１１を錠のケース体１２に対して施錠および解錠可能である。
プッシュ錠１８のプッシュ軸１８１は偏平状に形成され、回転阻止部１５のフック部１５１の被係止部１５１ａが検出部１４の検出子１４１の係止部１４１ｂと係止状態にあるときに、プッシュ錠のプッシュ軸１８１は、ケース体１２内に押し込んだときに、図５に示すように、フック部１５１の下面側に挿入可能に構成されている。
そして、プッシュ軸１８１は、図示しない鍵を回転させることにより回転可能に構成され、図８に示すように、回転に伴い、回転阻止部１５のフック部１５１の被係止部１５１ａと、検出部１４の検出子１４１の係止部１４１ｂとの係止状態を解除可能に構成されている。
【００３９】
次に、上記構成による動作を、図示しない引き戸式のサッシに取り付けた場合を想定して、図３〜図８に関連付けて説明する。
【００４０】
たとえば図３の開状態から図４の通常の閉状態として施錠する場合には、まず、図７に示すように、自動ロック部１７の解除レバー１７１に対してコイルバネ１７４の付勢力に抗する力を図中の上方に加えて、本体部１７２の長孔１７２ａを、ガイドピン１７３に沿ってスライドさせる。これにより、図６に示すクレセント部１３に対するロック状態が解除され、図７に示すように、クレセント部１３が回転できるようになり、ハンドルレバー１１を回すことが可能となる。
このとき、図３に示すように、カム部１６２の一端部１６２ａが、検出子１４１のガイド部１４１ｃの前面側に対して、コイルバネ１４３の付勢力に抗する当接力（押圧力）をもって当接する。これにより、ガイド部１４１ｃがコイルバネ１４３の付勢力により付勢されていてもケース体１２の第２側面１２２側に移動することができない状態となっている。
【００４１】
この状態で、図７中矢印Ａで示す方向にハンドルレバー１１を回転させることより、回転軸１１２が回転し、これに伴い、カム体１６２も回転し、カム体１６２の一端部１６２ａによる検出子１４１のガイド部１４１ｃの前面側に対する当接力（押圧力）が解除される。これにより、検出子１４１のガイド部１４１ｃが第２側面方向１２２の向かって付勢され、検出子１４１の竿部１４１ａの先端部が第１の位置＜１＞から第２の位置＜２＞に向かって移動（突出）する。
また、回転軸１１２の回転に伴いクレセント部１３の外周部が自動ロック部１７のテーパ部１７２ｂを摺接しながら回転し、やがて、クレセント部１３２がクレセント受け２０と係合し施錠される。
このとき、図４に示すように、検出子１４１の竿部１４１ａの先端部はガラス２１の一面に対して当接する第２の位置＜２＞で停止する。
この場合、クレセント部１３がハンドルレバー１１の回転軸１１２の回転により回転し、図６のような状態になると、クレセント部１３の基体部１３１の側部側に自動ロック部１７がさらに下方に付勢可能な空間が形成され、コイルバネ１７４の付勢力によりこの空間に自動ロック部１７が位置する。これにより、クレセント部１３は、施錠状態にロックされる。また、このとき、カム部１６２は、図４に示すように、検出部１４のいずれにも当接することがない。この場合、自動ロック部１７のみにより、クレセント部１３のを図４に示す閉状態（施錠状態）に保持する。
【００４２】
この施錠状態において、たとえば不正侵入者によりガラス２１の検出子１４１の竿部１４１ａの先端部が当接している領域を含む部分が割られると、検出子１４１の竿部１４１ａの先端部はコイルバネ１４３の付勢力により第２の位置＜２＞からさらにケース体１２の第２側面１２２から離れた（突出した）位置である第３の位置＜３＞に位置するように保持される。
この場合、図５に示すように、検出子１４１の竿部１４１ａの先端部が第３の位置＜３＞の位置に略保持されたときに、フック部１５１の被係止部１５１ａが検出子１４１の係止部１４１ｂに係止されることに加えて、カム部１６２の他端部１６２ｂが、検出子１４１のガイド部１４１ｃの図中下面側に対して、所定の図中の上方に向かう押圧力をもって当接する。
したがって、係止部１４２と被係止部１５１ａとの係止状態が確立され、検出子１４１の竿部１４１ａの先端部にコイルバネ１４３の付勢力に抗する力を加えて竿部１４１ａをケース体１２内に押し込もうとしても、第２の位置＜２＞、第１の位置＜１＞に向かって移動することが阻止され、かつ、カム部１６２の他端部１６２ｂが所定の押圧力を検出子１４１のガイド部１４１ｃに対して当接することから、竿部１４１ａの押し込もうとする外力に対してさらに強力な効力を得ることができ、より確実に竿部１４１ａの移動が阻止される。
さらにこのとき、カム部１６２の他端部１６２ｂが所定の押圧力を検出子１４１のガイド部１４１ｃに対して当接することから、カム体１６自体が回転不能となる。したがって、ハンドルレバー１１のレバー１１３を回転させても回転軸１１２が回転できなくなり、解錠が不可能となる。すなわち、不正侵入者は、ガラスを割ったとしても、クレセント錠１０の施錠状態から解錠できない。
【００４３】
このガラスが割られた状態から施錠状態を解除する操作を以下のように行う。
まず、プッシュ錠１８を押し込んで、プッシュ軸１８１の偏平部をフック部１５１の下面側に挿入させる。そして、プッシュ錠１８を押し込んだまま鍵により回転させることにより、プッシュ軸１８１を回転させる。このプッシュ軸１８１の回転に伴い、回転阻止部１５のフック部１５１の被係止部１５１ａと、検出部１４の検出子１４１の係止部１４１ｂとの係止状態が解除される。
これにより、検出子１４１をコイルバネ１４３の付勢力に抗する力によりケース体１２に押し込むことが可能となり、このようにして検出子１４１を押し込み、検出子１４１を押し込んだままで、プッシュ錠１８の押し込み状態を解錠し、プッシュ軸１８１をケース体１２から退避させる。
この状態で、自動ロック部１７の解除レバー１７１に対してコイルバネ１７４の付勢力に抗する力を図中の上方に加えて、本体部１７２の長孔１７２ａを、ガイドピン１７３に沿ってスライドさせる。これにより、図６に示すクレセント部１３に対するロック状態が解除され、図７に示すように、クレセント部１３が回転できるようになり、ハンドルレバー１１を回すことが可能となる。
またこのとき、検出子１４１をケース体１２内に押し込んだことにより、カム部１６２の他端部１６２ｂによる所定の押圧力を検出子１４１のガイド部１４１ｃに対する押圧力が解除されており、カム体１６、回転軸１１２は回転可能な状態となっている。
この状態で、図７中矢印Ｂで示す方向にハンドルレバー１１を図３の状態まで回転させることにより、図３に示す通常の開状態とすることができる。
【００４４】
以上説明したように、本第１の実施形態によれば、施錠および解錠のためのクレセント部１３と、回転軸１１２を備え、回転軸に対してクレセント部が取り付けられたハンドルレバー１１と、検出子１４１と、検出子１４１を施錠対象（ガラス）に向かって所定の付勢力をもって付勢するコイルバネ１４３と、を含む検出部１４と、被係止部１５１ａが形成されたフック部１５１と、フック部１５１を、被係止部１５１ａが検出子１４１の移動領域に位置可能なように所定の付勢力をもって付勢するバネ１５２とを含み、ガラスが割られ検出子１４１が略第３の位置＜３＞に保持されたときに、被係止部１５１ａが検出子１４１の係止部１４１ｂに係止する回転阻止部１５と、ハンドルレバー１１の回転軸の回転に応じて回転し、クレセント部１３が略解錠状態になっときに、検出子１４１をコイルバネ１４３の付勢力に抗する力をもって第１の位置＜１＞に保持させ、検出子１４１が第３の位置＜３＞に保持されたときに、検出子１４１に当接して回転軸１１２の回転を阻止するカム体１６をとを有することから、通常の施錠および解錠がダイヤル式南京錠のような煩雑は手間を要することなく容易に行うことが可能で、ガラス戸が割られた不正侵入時には、クレセントの回転を阻止して解錠することができず、防犯性に優れたクレセント錠を実現できる利点がある。
【００４５】
（第２実施形態）
図９（Ａ）〜（Ｅ）は、本発明に係るクレセント錠の第２の実施形態の概要を示す外観図であり、図１０は本第２の実施形態に係るクレセント錠の分解斜視図である。
また、図１１（Ａ）は、図９（Ｂ）と同様の状態を示す図であり、図１１（Ｂ）は図１１（Ａ）のＡ−Ａ線における断面図である。
【００４６】
本クレセント錠４０は、図に示すように、ハンドルレバー４１と、ケース体４２と、クレセント部４３と、たとえば施錠対象である図示しないクレセント受けが配置される側のサッシのガラスに対する異常な衝撃を感知する検出手段としての衝撃センサ（または音センサ）４４と、クレセント部４３の回転を阻止する回転阻止部４５と、自動ロック部４６と、プッシュ錠４７と、を主構成要素として有している。
【００４７】
ハンドルレバー４１は、本体部４１１と、回転軸４１２と、本体部４１１の図中の上部に突出するように形成されらレバー４１３とを有している。
本体部４１１は、図中の下部側に回転軸を挿入し固定するための図示しない固定孔４１１ａが形成されている。固定孔４１１ａには、回転軸４１２の先端側をケース体４２内に挿入するために、上部および下部が偏平に形成された挿入孔４１１ｂが形成されている。
本体部４１１は、図中の上部側（レバー４１３の近傍）にはブッシュ錠４７が収容され、ケース体４２の取り付け面と対向する面側に貫通するプッシュ軸４７１が出し入れ可能なプッシュ軸孔４１１ｃが形成されている。
回転軸４１２は、図１０に示すように、側部（図１０の例では上部側および下部側）が偏平となるように形成されており、挿入孔４１１ｂに挿入された状態で本体部４１１に固定され、先端部は、ケース体４２内に収容される。回転軸４１２は、本体部４１１またはレバー４１３に対する回転力に応じて、ケース体４２内で回転する。
回転軸４１２の先端には、後述するように、ケース体４２内において、クレセント部４３の基体部をネジ止めするための雌ねじ部４１２ａが形成されている。
【００４８】
ケース体４２は、ハンドルレバー４１の本体部４１１の取り付け面である第１側面４２１には回転軸４１２の先端部が回転可能に挿入される挿入孔４２１ａが形成され、かつ、プッシュ錠４７のプッシュ軸４７１をケース体４２から出し入れ自在に案内する図示しない案内孔が形成されている。
ケース体４２のクレセント受け側に位置する第２の側面４２２には、クレセント部１３が回転軸１１２の回転に伴い出入り可能なクレセント用穴４２２ａと、検出手段として衝撃センサ４３が配置されるセンサ配置部４２２ｂが形成されれている。
ケース体４２の第２側面４２２と対向する第３側面４２３には、自動ロック部４６のロック解除機構を構成する解除レバー４６１を外面に位置させながら、図２中上部側で所定範囲に亘ってスライド可能に案内する長孔からなるガイド孔４２３ａが形成されている。
ケース体４２の第１側面１２１と対向する側部は開口しており、この開口部４２４から検出部１４の各部品、回転阻止部４５の各部品、クレセント部４３、自動ロック部４６や、図示しないセンサおよび回転阻止部４５を制御するための回路基板、電池等の主用部品が所要の位置にセットされる。
そして、ケース体４２の開口部４２４は図示しない裏蓋がネジ止めされる。
【００４９】
クレセント部４３は、平面な基体部４３１の周囲にクレセント受けに対して施錠および解錠するための円弧状の施錠部４３２が形成されており、上述したように、基体部４３１の円弧の略中心位置が、ハンドルレバー４１の本体部４１１に固定された回転軸４１２の先端の雌ねじ部４１２ａに対し、カラー（スペーサ）５１を介して雄ねじ５２によりネジ止めされる。
これにより、クレセント部４３は、回転軸４１２は、本体部４１１またはレバー４１３に対する回転力に応じてケース体４２内で回転する回転軸４１２の回転に応じて同一方向に回転する。
また、クレセント部４３の施錠部４３２の施錠に図中上部側に位置する所定の領域に、後述する回転阻止部４５のフック部４５１の被被係止部４５１ａが係止可能な係止部４３２ａが形成されている。本実施形態においては、係止部４３２ａは、切欠として形成されている。
【００５０】
検出手段としての衝撃センサ４４は、たとえば、衝撃等の機械的歪みは発生したときに電圧を発生する圧電フィルムや、衝撃音を感知する音センサ等により構成可能で、たとえばガラスを割る衝撃を感知すると感知信号Ｓ４４を後で接続する制御部に出力する。
衝撃センサ４４は、施錠対象のサッシ側のガラス面と対向するケース体４２の第２側面４２２に形成されたセンサ配置部４２２ｂに配置される。これにより、ガラスが割られるときの衝撃を確実に感知できるようになっている。
【００５１】
回転阻止部４５は、先端部にクレセント部４３の施錠部４３２に形成された係止部４３２ａに係止可能な被係止部４５１ａが形成された略Ｌ字状をなすフック部４５１と、制御部からの制御信号に応じてフック部４５１を、被係止部４５１ａが係止部４３２ａと係止できない位置に保持する保持部としてのソレノイド４５２とを有する。
ソレノイド４５２は、図１２（Ａ）〜（Ｄ）に示すように、衝撃センサ４４が衝撃を感知してないときには、制御部の制御信号を受けて出力軸４５２ａが出力し、フック部４５１を被係止部４５１ａが係止部４３２ａと係止できない位置に保持する。
一方、ソレノイド４５２は、衝撃センサ４４が衝撃を感知したときには、制御部の制御信号を受けて出力軸４５２ａを退避させて、フック部１５１を被係止部４５１ａと係止部４３２ａとを係止させる。
【００５２】
自動ロック部４６は、クレセント部４３が、図９（Ｂ）に示すように、略施錠状態になったときに、クレセント部４３をこの施錠可能状態にロックさせる。
そして、自動ロック部４６は、ロック状態を解錠するための解除機構としての解除レバー４６１がケース４１２の第３側面４２３のガイド孔４２３ａを介して所定範囲に亘ってスライド可能に設けられている。
自動ロック部４６は、その本体部４６２は、方形状をなし、たとえば図中の左側部（ケース体４２の第３側面４２３に近傍）に図中上下方向に形成した長孔状のガイド孔４６２ａが形成されている。
そして、自動ロック部４６の本体部４６２には、たとえばケース体４２の第１側面４２１の内壁に形成されたガイドピン４６３がガイド孔４６２ａに挿入されている。
また、本体部４６２の図中の上面とケース体４２の図中の上面の内壁との間に、本体部４６２をケース体４２の下方に所定の弾性力（付勢力）をもって付勢する付勢手段としてのコイルバネ４６４が配設されている。
さらに、本体部４６２の図中の右下側縁部には、クレセント部４３の円弧状の施錠部４３２が摺接しながら回転可能に案内するテーパ部４６２ｂが形成されている。
【００５３】
このような自動ロック部４６は、コイルバネ４６４の付勢力に下方側に付勢されおり、クレセント部４３がハンドルレバー４１の回転軸４１２の回転により回転し、図９（Ｂ）のような状態になると、クレセント部４３の基体部４３１の側部側に自動ロック部４６がさらに下方に付勢可能な空間が形成され、コイルバネ４６４の付勢力によりこの空間に自動ロック部４６が位置する。
これにより、クレセント部４３は、施錠状態にロックされる。
このロック状態を解除する場合には、解除レバー４６１に対してコイルバネ４６４の付勢力に抗する力を図中の上方に加えて、本体部４６２の長孔４６２ａを、ガイドピン４６３に沿ってスライドさせることにより、図９（Ｂ）に示すクレセント部４３に対するロック状態を解除させる。これにより、クレセント部４３が回転できるようになり、ハンドルレバー４１を回すことが可能となる。
【００５４】
プッシュ錠４７は、図示しない鍵によりハンドルレバー４１を錠のケース体４２に対して施錠および解錠可能で、プッシュ錠のプッシュ軸４８１は偏平状に形成され、回転阻止部４５のフック部４５１の被係止部４５１ａがクレセント部４３の係止部４３２ａと係止状態にあるときに、プッシュ錠のプッシュ軸４７１は、ケース体４２内に押し込んだときに、フック部４５１の下面側に挿入可能に構成されている。そして、プッシュ軸４７１は、図示しない鍵を回転させることにより回転可能に構成され、回転に伴い、回転阻止部４５のフック部４５１の被係止部４５１ａと、クレセント部４３の係止部４３２ａとの係止状態を解除可能に構成されている。
【００５５】
図１３は、本第２の実施形態に係るクレセント錠４０の制御システムの構成例を示すブロック図である。
本制御システム６０は、図１２に示すように、制御部６１と、アラーム部６２と、電源としての電池６３を有する。この制御システム６０は、たとえばクレセント部４３が施錠状態になった場合に電源がオンし、後述するように、クレセント部４３が解錠されたると、電源オフとなるように構成され、必要なときのみ電源をオンして無駄な電力消費を抑止している。
制御部６１は、衝撃センサ４４により衝撃を感知したことを示す感知信号Ｓ４４が入力されない場合には、ソレノイド４５２に対して出力軸４５２ａを出力状態に保持するように指示する制御信号ＣＴＬを出力する。
一方、制御部６１は、衝撃センサ４４が衝撃を感知し、感知信号Ｓ４４が入力された場合には、ソレノイド４５２に対して出力軸４５２ａを退避するように指示する制御信号ＣＴＬを出力し、また、たとえば発光素子を点灯（あるいは点滅）せたりアラーム音を放出させようにアラーム部６２を、たとえば所定時間だけ駆動する。
また、制御部６１は、ソレノイド４５２に対して出力軸４５２ａを退避させる命令を発した後に、通常の状態に戻すために、プッシュ錠４７を押し込んで、プッシュ軸４７１の偏平部をフック部４５１の下面側に挿入させ、プッシュ錠４７を押し込んだまま鍵により回転させることにより、プッシュ軸４７１を回転させ、このプッシュ軸４７１の回転に伴い、回転阻止部４５のフック部４５１の被係止部１５４ａと、クレセント部４３の係止部４３２ａとの係止状態を解除され状態で、たとえば図示しないリセットスイッチ等が操作させれると、ソレノイド４５２に対して出力軸４５２ａを出力するように指示する制御信号ＣＴＬを出力する。
【００５６】
次に、上記構成による動作を、図示しない引き戸式のサッシに取り付けた場合を想定して、図１４のフローチャートに関連付けて説明する。
【００５７】
たとえば開状態から通常の閉状態として施錠する場合には、まず、自動ロック部４６の解除レバー４６１に対してコイルバネ４６４の付勢力に抗する力を図中の上方に加えて、本体部４６２の長孔４６２ａを、ガイドピン４６３に沿ってスライドさせる。これにより、クレセント部４３に対するロック状態が解除され、クレセント部４３が回転できるようになり、ハンドルレバー４１を回すことが可能となる。
【００５８】
この状態で、所定の方向にハンドルレバー４１を回転させるこより、回転軸４１２が回転し、回転軸４１２の回転に伴いクレセント部４３の外周部が自動ロック部４６のテーパ部４６２ｂを摺接しながら回転し、やがて、クレセント部４３２がクレセント受けと係合し施錠される。
この場合、クレセント部４３がハンドルレバー４１の回転軸４１２の回転により回転し、図９（Ｂ）のような状態になると、クレセント部４３の基体部４３１の側部側に自動ロック部４６がさらに下方に付勢可能な空間が形成され、コイルバネ４６４の付勢力によりこの空間に自動ロック部４６が位置する。これにより、クレセント部４３は、施錠状態にロックされる。クレセント部４３が施錠状態となったことは図示しない検出系により検出され、この検出結果により制御システムの電源がオンとなる。
【００５９】
この施錠状態において、まず、制御部６１は、衝撃センサ４４により衝撃を感知したことを示す感知信号Ｓ４４が入力されないことから、ソレノイド４５２に対して出力軸４５２ａを出力状態に保持するように指示する制御信号ＣＴＬを出力している（ＳＴ１，ＳＴ２）。
ここで、たとえば不正侵入者によりガラスの衝撃センサ４４と対向して領域を含む部分が割られると（ＳＴ３）、衝撃センサ４４によりガラス破壊時の衝撃が感知され（ＳＴ４）、制御部６１に対して感知信号Ｓ４４が入力される（ＳＴ５）。
制御部６１は、衝撃センサ４４が衝撃を感知し、感知信号Ｓ４４が入力されると、ソレノイド４５２に対して出力軸４５２ａを所定時間だけ退避するように指示する制御信号ＣＴＬを出力する。これにより、ソレノイド４５２は、制御部の制御信号ＣＴＬを受けて出力軸４５２ａを退避させて、フック部４５１を被係止部４５１ａと係止部４３２ａとを係止させる（ＳＴ６）。これにより、クレセント部４３が回転不能となる。したがって、ハンドルレバー４１のレバー４１３を回転させても回転軸４１２が回転できなくなり、解錠が不可能となる。すなわち、不正侵入者は、ガラスを割ったとしても、クレセント錠４０の施錠状態を解錠できない（ＳＴ７）。
また、制御部６１は、発光素子を点灯（あるいは点滅）せたりアラーム音を放出させようにアラーム部６２をたとえば所定時間（たとえば３０秒間）だけ駆動する（ＳＴ８）。そして、アラーム終了後に、回路系は停止する。
【００６０】
このガラスが割られた状態から施錠状態を解除する操作を以下のように行う。
プッシュ錠４７を押し込んで、プッシュ軸４７１の偏平部をフック部４５１の下面側に挿入させる。そして、プッシュ錠４７を押し込んだまま鍵により回転させることにより、プッシュ軸４７１を回転させる。このプッシュ軸４７１の回転に伴い、回転阻止部４５のフック部４５１の被係止部４５１ａと、クレセント部４３の係止部４３２ａとの係止状態を解除される。
このとき、自動的にリセットがかかっていて、ソレノイド４５２は出力軸４５２ａを出力するように制御されている。
これにより、回転阻止部４５のフック部４５１の被係止部４５１ａが係止部４３２ａと係止できない位置に保持される（ＳＴ９）。
この状態で、自動ロック部４６の解除レバー４６１に対してコイルバネ４６４の付勢力に抗する力を図中の上方に加えて、本体部４６２の長孔４６２ａを、ガイドピン４６３に沿ってスライドさせる。これにより、クレセント部４３に対するロック状態が解除され、クレセント部４３が回転できるようになり、ハンドルレバー４１を回すことが可能となる。
この状態で、ハンドルレバー４１を所定の方向（施錠時とは反対方向）に回転させることにより、通常の開状態とすることができる。
このようにクレセント部４３が解錠されると電源がオフされる（ＳＴ１０）。
【００６１】
以上のように、本第２の実施形態によれば、上述した第１の実施形態と同様の効果、すなわち、通常の施錠および解錠がダイヤル式南京錠のような煩雑は手間を要することなく容易に行うことが可能で、ガラス戸が割られた不正侵入時には、クレセントの回転を阻止して解錠することができず、防犯性に優れたクレセント錠を実現できる利点がある。
【図面の簡単な説明】
【００６２】
【図１】本発明に係るクレセント錠の第１の実施形態の概要を示す外観図である。
【図２】本第１の実施形態に係るクレセント錠の分解斜視図である。
【図３】第１の実施形態における開状態を示す図である。
【図４】第１の実施形態における通常の閉状態を示す図である。
【図５】第１の実施形態におけるガラスが割れた状態をクレセント部を図示しないで示す図である。
【図６】第１の実施形態におけるガラスが割れた状態をクレセント部を図示して示す図である。
【図７】第１の実施形態における通常の回転操作を説明するための図である。
【図８】図５の状態を解除するステップを説明するための図である。
【図９】本発明に係るクレセント錠の第２の実施形態の概要を示す外観図である。
【図１０】本第２の実施形態に係るクレセント錠の分解斜視図である。
【図１１】（Ａ）は、図９（Ｂ）と同様の状態を示す図であり、（Ｂ）は（Ａ）のＡ−Ａ線における断面図である。
【図１２】本第２の実施形態に係る回転阻止部の機能を説明するための図である。
【図１３】本第２の実施形態に係るクレセント錠の制御系の構成例を示すブロック図である。
【図１４】本第２の実施形態に係るクレセント錠の動作を説明するためのフローチャートである。
【符号の説明】
【００６３】
１０…クレセント錠、１１…ハンドルレバー、１１２…回転軸、１２…ケース体、１３…クレセント部、１４…検出部、１４１…検出子、１４１ｂ…係止部、１４２…コイルバネ、１５…回転阻止部、１５１…フック部、１５１ａ…被係止部、１６…カム体、１７…自動ロック部、１７１…解除レバー、１８…プッシュ錠、１８１…プッシュ軸、４０…クレセント錠、４１…ハンドルレバー、４１２…回転軸、４２…ケース体、４３…クレセント部、４３２ａ…係止部、４４…衝撃センサ、４５…回転阻止部、４５１…フック部、４５１ａ…被係止部、４５２…保持手段としてのソレノイド、４６１…解除レバー、４７…プッシュ錠、４７１…プッシュ軸、６０…制御システム、６１…制御部。
【図１】
2005068731.tif 000003
【図２】
2005068731.tif 000004
【図３】
2005068731.tif 000005
【図４】
2005068731.tif 000006
【図５】
2005068731.tif 000007
【図６】
2005068731.tif 000008
【図７】
2005068731.tif 000009
【図８】
2005068731.tif 000010
【図９】
2005068731.tif 000011
【図１０】
2005068731.tif 000012
【図１１】
2005068731.tif 000013
【図１２】
2005068731.tif 000014
【図１３】
2005068731.tif 000015
【図１４】
2005068731.tif 000016
【手続補正書】
【提出日】平成15年9月4日(2003.9.4)
【手続補正１】
【補正対象書類名】図面
【補正対象項目名】全図
【補正方法】変更
【補正の内容】
【図１】
2005068731.tif 000017
【図２】
2005068731.tif 000018
【図３】
2005068731.tif 000019
【図４】
2005068731.tif 000020
【図５】
2005068731.tif 000021
【図６】
2005068731.tif 000022
【図７】
2005068731.tif 000023
【図８】
2005068731.tif 000024
【図９】
2005068731.tif 000025
【図１０】
2005068731.tif 000026
【図１１】
2005068731.tif 000027
【図１２】
2005068731.tif 000028
【図１３】
2005068731.tif 000029
【図１４】
2005068731.tif 000030